(57)【要約】【課題】簡単な構造により、収容容器に収容された遊戯媒体を補給用容器に効率的に移し替えることのできる遊戯媒体収容容器を提供することを目的とする。【解決手段】収容した遊戯媒体Ｃをホッパー４下方に設けられた排出口３から排出し得る収容容器本体１に、遊戯媒体移送部材２が、その遊戯媒体受容口６と前記排出口３とを連通させて前記遊戯媒体を自重落下により所定量受容する受容位置と、前記受容した遊戯媒体Ｃを自重落下により外部に設置された補給用容器１２に払い出す払出位置との間に上下動自在に設けられ、前記移送部材２の側面７により前記排出口３が閉止されることで前記収容容器本体１に収容された遊戯媒体Ｃの外部への漏出が防止されてなる遊戯媒体収容容器において、前記移送部材２は、前記受容位置と払出位置との間に略鉛直方向に上下動自在に設けられてなることを解決手段とする。【選択図】  図１
2004313586.tif 000002
【特許請求の範囲】
【請求項１】
収容した遊戯媒体（Ｃ）をホッパー（４）下方に設けられた排出口（３）から排出し得る収容容器本体（１）に、遊戯媒体移送部材（２）が、その遊戯媒体受容口（６）と前記排出口（３）とを連通させて前記遊戯媒体を自重落下により所定量受容する受容位置と、前記受容した遊戯媒体（Ｃ）を自重落下により外部に設置された補給用容器（１２）に払い出す払出位置との間に移動自在に設けられ、前記移送部材（２）の側面（７）により前記排出口（３）が閉止されることで前記収容容器本体（１）に収容された遊戯媒体（Ｃ）の外部への漏出が防止されてなる遊戯媒体収容容器において、
前記移送部材（２）は、前記受容位置と払出位置との間に略鉛直方向に上下動自在に設けられてなることを特徴とする遊戯媒体収容容器。
【請求項２】
前記移送部材（２）に追従して移送される遊戯媒体（Ｃ）の前記収容容器本体（１）への噛み込みを防止する噛込防止手段（５）が設けられている請求項１に記載の遊戯媒体収容容器。
【請求項３】
前記収容容器本体（１）に前記移送部材（２）の往復移動を案内する案内筒（９）が設けられ、該案内筒の側面（９ａ）により前記移送部材（２）に形成された開口（８）が閉止されることで該移送部材（２）に受容された遊戯媒体（Ｃ）の外部への漏出が防止されている請求項１または２に記載の遊戯媒体収容容器。
【発明の詳細な説明】
【０００１】
【発明の属する技術分野】
本発明は、パチスロ機に使用される遊戯用コイン等を収容する遊戯媒体収容容器に関する。
【０００２】
【従来の技術】
従来より、パチンコ店等の遊技場に設置されたパチスロ機に使用されるコインは、各パチスロ機の近傍に設置された貸出機から貸し出され、使用後、各島の内部に設けられた回収装置で各島の端部に供給される。その後、この供給されたコインを各島の端部に備えられた研磨機で研磨後、再び貸出機から貸し出すべく各貸出機に配達する配達作業が行われている。該配達作業では、コインを収容可能な収容容器本体と、この収容容器本体を手押して移動させるための取手およびキャスタとを備えた手押し式の収容容器が用いられている。
【０００３】
該収容容器は、普段はパチンコ店のホールの周辺部に設置され、必要に応じて運び出され、研磨されたコインを収容容器内に投入しコインを収容する。そして前述した配達作業は、島の間の通路を縫って収容容器をコインを投入すべき貸出機の近傍まで移動させ、そこで収容容器内のコインを補給用容器（以下、「ジョッキ」という。）に移し替え、そのジョッキ内のコインを貸出機に投入する投入作業を繰り返すことによって行われる。
【０００４】
このような収容容器において、図５に示すような構造のものが知られている（特許文献１参照）。この収容容器（コインの定量払出装置）においては、収容したコインＣをホッパー４１の下方に設けられた排出口４２から排出し得るように構成された収容容器本体４３に、コイン移送部材４４が、その遊戯媒体受容口４５を前記排出口４２と連通して前記コインＣを自重落下により所定量受容する受容位置と、前記コイン移送部材４４の底部に設けられた開口４８とコインを払い出す払出口４７とを連通させて前記受容したコインＣを自重落下させて外部に設置されたジョッキ４６に払い出す払出位置との間に、前記収容容器本体４３内部に水平に対して傾斜する姿勢で設けられた案内筒４０に案内されつつ移動自在に設けられている。この収容容器によれば、ホッパー４１に収容されたコインをジョッキ４６が満杯になるまで移送することができ、研磨されたコインを各貸出機に配達する配達作業が効率的に行えるとともに、ベルトコンベア等の搬送装置やコイン移送部材４４に収容したコインの量を検出する検出手段等が不要となり、前記収容容器の製作コストが低減される利点があるとされている。
【０００５】
また、図６に示すような構造のものも知られている（特許文献２参照）。この収容容器（手押ワゴン）においては、コインを収容する収容容器本体６３と、収容したコインを排出する排出口６２と、該排出口６２に向かって下方に傾斜するホッパー底面６１と、外部に設置されたジョッキ６６に前記コインを落下させて払い出す払出口６７と、前記払出口６７まで延設された回転搬送具６４（スクリュー式フィーダー）とが設けられ、前記排出口６２から排出されたコインが前記回転搬送具６４により搬送されるように構成されている。この収容容器によれば、前記ホッパーに収容されたコインをジョッキ６６が満杯になるように移し替えることができるため、そのジョッキ６６内のコインを貸出機に投入する投入作業の頻度が減少し、研磨されたコインを各貸出機に配達する配達作業を効率的に行えるとされている。
【０００６】
【特許文献１】
実開平６−１３８８３号公報
【特許文献２】
特開２００１−２３６５５０号公報
【０００７】
【発明が解決しようとする課題】
しかしながら、特許文献１記載の収容容器では、前記受容位置と払出位置との間をコイン移送部材４４を往復移動させるために、前記受容位置側に引張り付勢するコイルスプリング４９と、該付勢力に抗してコイルスプリング４９を前記払出位置側に引張る把手５０とを設けて構成され、該コイルスプリング４９がプーリー５１に巻掛けられて前記コイン移送部材４４の一端側と収容容器本体４３の底部とにわたって連結されているとともに、把手５０とコイン移送部材４４の他端側とを連結するワイヤー５２がプーリー５３と緩み止め用のテンションプーリー５４とに巻掛けられて構成されている操作機構を用いているために構造が複雑化し、該操作機構を構成する各構成部材のいずれかに不具合があるのみで前記コインをジョッキ４６に移し替える移替作業が行えなくなる虞がある上、これら構成部材はコイン移送部材４４の内部に配置され、しかも各構成部材は互いに連係されているため、不具合の生じた部材を取り替えることが容易でないという問題があった。
【０００８】
一方、特許文献２記載の収容容器では、前記収容容器に収容されたコインを移送してジョッキ６６をコインで満杯にするために、前記収容容器本体６３の後方に設けられた回転操作具７０を何回も廻して前記回転搬送具６４の回転軸６８を回転させる必要があり、前記コインをジョッキ６６に移し替える移替作業が煩瑣となり、しかも移替作業に時間を要するという問題があった。
【０００９】
本発明は、上述した問題に鑑みてなされたものであり、コインを移送して外部に払い出す機構を簡単な構造で実現しながら、収容容器に収容されたコインを補給用容器に効率的に移し替えることのできる遊戯媒体収容容器を提供することを目的とする。
【００１０】
【課題を解決するための手段】
本発明に係る遊戯媒体収容容器は、収容した遊戯媒体をホッパー下方に設けられた排出口から排出し得る収容容器本体に、遊戯媒体移送部材が、その遊戯媒体受容口と前記排出口とを連通させて前記遊戯媒体を自重落下により所定量受容する受容位置と、前記受容した遊戯媒体を自重落下により外部に設置された補給用容器に払い出す払出位置との間に移動自在に設けられ、前記移送部材の側面により前記排出口が閉止されることで前記収容容器本体に収容された遊戯媒体の外部への漏出が防止されてなる遊戯媒体収容容器において、前記移送部材は、前記受容位置と払出位置との間に略鉛直方向に上下動自在に設けられてなることを特徴とする。
【００１１】
上記構成によれば、遊戯媒体を移送して外部に払い出す機構を簡単な構造で実現しながら、収容容器本体に収容された遊戯媒体を補給用容器に効率的に移し替えることができる。
【００１２】
前記移送部材に追従して移送される遊戯媒体の前記収容容器本体への噛み込みを防止する噛込防止手段が設けられていることが好ましい。
【００１３】
上記好ましい構成によれば、遊戯媒体移送部材を受容位置と払出位置との間をスムーズに往復移動させることができる。
【００１４】
前記収容容器本体に前記移送部材の往復移動を案内する案内筒が設けられ、該案内筒の側面により前記移送部材に形成された開口が閉止されることで該移送部材に受容された遊戯媒体の外部への漏出が防止されていることが好ましい。
【００１５】
上記好ましい構成によれば、遊戯媒体を移送して外部に払い出す機構をさらに簡単な構造で実現することができる。
【００１６】
【発明の実施の形態】
以下、本発明に係る遊戯媒体収容容器の一実施形態について図面を参照しながら説明する。図１は、本実施の形態のコイン収容容器の全体構成を示す斜視図であり、図２および図３は、該コイン収容容器の要部断面図である。図１乃至図３を参照して、前記コイン収容容器は、コインＣを収容するホッパー４と、該ホッパー４の下方に前記収容したコインＣを排出するべく開口したコイン排出口３とが設けられた収容容器本体１を備えている。なお、図１乃至図３に示すコイン収容容器では、前記コイン排出口３は、前記ホッパー４の下端縁をその下端辺と略合致させて矩形状に設けられている。また、該収容容器本体１には、コイン移送部材２が、そのコイン受容口６を前記コイン排出口３と連通して前記コインＣを自重落下により所定量受容する受容位置と、前記受容したコインＣを自重落下させて外部に設置されたジョッキ１２に払い出す払出位置との間に略鉛直方向に上下動自在に設けられている。
【００１７】
詳しくは、前記収容容器本体１の正面部には、横断面が矩形状の案内筒９が、該案内筒９を構成する背面板９ｂを介して固設されており、該案内筒９の正面部の上方には、矩形状に開口したコイン払出口１０が形成されている。また、該コイン払出口１０を正面からみて遮蔽する状態で、横断面がコの字形の遮蔽枠体９ｃが該案内筒９の左右側面に架設されている。該遮蔽枠体９ｃには、下方に向かって矩形状に開口した開口１１が形成されており、前記遮蔽枠体９ｃの下方には前記案内筒９を構成する正面板９ａが立設されている。
【００１８】
前記コイン移送部材２は、図４にその斜視図を示すように、左右に平行且つ対向して設けられた側板７ｃ，７ｄと、該側板７ｃ，７ｄの各上縁端に水平状態で横設された天板７ｅによって外枠体が構成されており、更に該外枠体の正面部および背面部に平行且つ対向して設けられた正面板７ｂおよび背面板７の各上縁端に横設された台板７ａが、水平に対して正面に傾斜した状態で、前記側板７ｃ，７ｄの各中央部の間に架設されている。また、前記天板７ｅには、把手２ａが固設されている。また、前記側板７ｃ，７ｄ、天板７ｅおよび台板７ａによって、正面に開口した開口８と、該開口８と連通し、背面に開口したコイン受容口６とが形成されている。このように、前記コイン移送部材２は、前記案内筒９に挿通されて案内され得るように構成されている。
【００１９】
そして、前記コイン移送部材２は、前記案内筒９に挿通された状態で、前記コイン受容口６と前記コイン排出口３とを連通させて前記コインＣをホッパー４から自重落下により前記台板７ａ上に所定量受容する受容位置（図２参照）と、前記開口８と前記コイン払出口１０とを連通させて前記受容したコインＣを前記台板７ａから自重落下によりコイン収容容器の外部に設置されたジョッキ１２に払い出す払出位置（図３参照）との間に上下動自在に移動し得るように構成されている。
【００２０】
前記案内筒９の下端位置には第１のストッパー（図示せず）が案内筒９の内側に突設されており、前記コイン移送部材２を前記案内筒９内に挿通させた状態で押し下げると該コイン移送部材２の下端部が前記第１のストッパーに当接し、前記コイン移送部材２の下端部が前記案内筒９の下端部と略合致するとともに前記台板７ａの上端縁が前記コイン排出口３の下端辺と略合致した状態で、前記コイン移送部材２は、前記受容位置で停止する。また、前記案内筒９の所定位置には、前記コイン移送部材２の前記払出位置から上方への移動を阻止する第２のストッパー（図示せず）が該案内筒９の内側に突設されており、前記コイン移送部材２を前記受容位置から引き上げると該コイン移送部材２の台板７ａが前記第２のストッパーに当接し、前記台板７ａの下端縁が前記コイン払出口１０の下端辺と略合致した状態で、前記コイン移送部材２は、前記払出位置で停止する。
【００２１】
図２を参照して、前記案内筒９の正面板９ａによって前記コイン移送部材２の開口８が閉止されることで、前記コイン移送部材２に受容されたコインＣの外部への漏出が防止されており、図３を参照して、前記コイン移送部材２の背面板７によって前記収容容器本体１のコイン排出口３が閉止されることで、前記ホッパー４に収容された遊戯媒体の外部への漏出が防止されている。また、図１を参照して、前記正面板９ａの下方は開放されており、前記コイン移送部材２の正面板７ｂが露出した状態となっている。
【００２２】
以上のように、本実施の形態のコイン収容容器は、前記コイン移送部材２が前記案内筒９に挿通されて略鉛直方向に往復移動することで該コイン移送部材２に所定量収容されたコインＣが前記ジョッキ１２に払い出されるように構成されている。
【００２３】
なお、前記ホッパー４には複数個のコインＣが収容されており、前記ホッパー４のコイン排出口３の上方に、前記収容容器本体１の側壁から下方に傾斜するように邪魔板５が突設されている。そして、前記邪魔板５の下方には、前記収容されたコインＣが入り込めずに該コインＣの存在しない空隙部５ｂが形成されている。また、前記収容容器本体１の側壁の一部が、前記邪魔板５の上縁端から垂下した垂下部５ａを形成しており、該垂下部５ａの下端縁は、前記コイン排出口３の上縁辺を形成している。なお、前記払出位置では、前記垂下部５ａの下端縁と前記台板７ａの上端縁との間に間隙が形成されている。
【００２４】
また、本実施の形態のコイン収容容器は、前記収容容器本体１の正面側の上縁端部と該収容容器本体１の下方に、それぞれ取手１ｂと複数個のキャスタ１ａが装着され、手押しにより移動させ得るように構成されている。また、前記収容容器本体１の上部には、開閉操作の可能な蓋体１ｃが設けられている。
【００２５】
以下、本実施の形態のコイン収容容器を用いて、前記収容容器本体１のホッパー４に収容されたコインＣを移送して前記ジョッキ１２に払い出す方法について説明する。
【００２６】
図２を参照して、先ず、前記コイン移送部材２を前記案内筒９内に挿通させた状態で押し下げると、前記コイン移送部材２の下端部が前記案内筒９の第１のストッパーに当接し、該コイン移送部材２は、前記受容位置で停止する。そして、前記ホッパー４からコインＣが前記台板７ａ上に自重落下で流入し、前記案内筒９の正面板９ａによってその流れが阻止される。このとき、前記コイン移送部材２は、前記収容容器本体１のコイン排出口３の開口の面積と前記台板７ａの面積とによって概略決定される所定量のコインＣを受容する。
【００２７】
次に、前記コイン移送部材２を前記受容位置から引き上げていくと、該コイン移送部材２に追従して前記受容されたコインＣが移送される。
【００２８】
この移送の途中で、前記邪魔板５が形成されていない場合は、前記収容容器本体１と前記台板７ａとの間に前記移送されるコインＣの一部が噛み込まれ、前記コイン移送部材２の移動が阻止される。しかし、本実施の形態では、図３を参照して、前記邪魔板５によって、その下方に空隙部５ｂが形成されており、前記噛み込みの原因となるコインＣが、前記垂下部５ａの下端縁と前記台板７ａの上端縁との間に形成された間隙を通過して前記空隙部５ｂへ排除されるため、前記コイン移送部材２を前記受容位置と前記払出位置との間をスムーズに往復移動させることができる。
【００２９】
その後、図３を参照して、前記コイン移送部材２の台板７ａが前記案内筒９の第２のストッパーに当接し、前記台板７ａの下端縁が前記コイン払出口１０の上端辺と略合致した状態で、前記コイン移送部材２は、前記払出位置で停止する。そして、前記コイン移送部材２の台板７ａからコインＣが自重落下し、前記開口８、前記コイン払出口１０および前記開口１１をこの順で通過し、前記コイン移送部材２によって移送されたコインＣが前記ジョッキ１２内に払い出される。
【００３０】
この移送操作を数回繰り返して行うことによって、前記ジョッキ１２をコインＣで満杯にすることができる。即ち、例えば、前記コイン移送部材２に受容されるコインＣの量を概ね前記ジョッキ１２のコイン容量の１／３になるように設定しておけば、該移送操作を３回行うことで、前記ジョッキ１２が満杯となる。
【００３１】
以上のように、本実施形態のコイン収容容器によれば、コインを移送して外部に払い出す機構が、主としてコイン移送部材２と該コイン移送部材２が挿通されて案内される案内筒９によって構成されているので、これら構成部材に不具合の生じる虞が少なく、しかも、各構成部材は、収容容器本体１の外部に設けられているので、万一不具合が生じた場合でも修理交換が容易に行える。
【００３２】
また、コインを移送して外部に払い出す機構が、そのような簡単な構造で実現されているので、コイン収容容器を従来のそれと比べて安価に製造することができ、何らコインを移送して外部に払い出すための機構を備えていない既存のコイン収容容器に簡単な改造を施すことのみで配設することも可能となる。
【００３３】
また、コイン移送部材２を案内筒９内を数回往復移動させることのみで収容容器本体１に収容されたコインをジョッキ１２に払い出して満杯とすることができるので、コインをジョッキ１２に移し替える移替作業に要する時間が短縮され、引いては、各島の端部に供給されたコインを研磨機で研磨後、再び貸出機から貸し出すべく各貸出機に配達する配達作業の労務負担が軽減化されるようになる。
【００３４】
更に、前記コイン移送部材２は前記受容位置と払出位置との間に略鉛直方向に上下動自在に設けられていることから、前記受容位置と払出位置との鉛直方向における距離を短縮することができる。これにより、ジョッキ１２の配置スペースや収容容器本体１の大きさを配慮しつつ、コイン排出口３を可能な限り収容容器本体の１の下方に設けてホッパー４のコイン容量を最大限に確保でき、しかも、前記コイン移送部材２の往復移動のストローク幅を短くして該往復移動の仕事量を最小限に抑えることもできる。
【００３５】
尚、本実施の形態では、遊戯媒体としてパチスロ機等に使用されるコインを使用したが、本発明は、その他パチンコ機に使用されるパチンコ玉等の球状のものにも適用できる。
【００３６】
また、前記コイン払出口１０を、前記案内筒９の正面部からコインＣが払いだされるように該正面部に形成したが、コイン払出口を前記案内筒９の左右側面の上方にそれぞれ形成し、前記案内筒９の正面部で該コイン払出口から払い出されたコインが合流するように前記案内筒９にコインの通路を設け、最後に前記ジョッキ１２内に払い出されるように構成してもよい。
【００３７】
また、前記案内筒９の正面板９ａによって前記コイン移送部材２の開口８が閉止されることで、前記コイン移送部材２に受容されたコインＣの外部への漏出が防止されるように構成したが、前記受容位置から前記払出位置に至るまでは前記コイン移送部材２の開口８を該コイン移送部材２に追従移動する板材で閉止し、前記払出位置に到達した時点で該板材が開放されて前記受容したコインＣを前記ジョッキ１２に払い出すように構成してもよい。
【００３８】
また、前記受容位置において、前記コイン移送部材２の台板７ａの上端縁が前記コイン排出口３の下端辺と略合致した状態となるように前記コイン移送部材２を構成したが、前記ホッパー４から自重落下によりコインＣを受容し得るように構成する限り、例えば、前記コイン移送部材２の台板７ａの上端縁が前記コイン排出口３の下端辺よりも下方に位置するように構成してもよい。
【００３９】
また、前記噛込防止手段として、前記収容容器本体１の側壁から下方に傾斜した邪魔板５と、前記垂下部５ａの下端縁と前記台板７ａの上端縁との間に形成された間隙とを用いたが、前記コイン移送部材２に追従して移送されるコインＣの前記収容容器本体１への噛み込みが効果的に防止できる限り、その他の手段を採用することもできる。また、前記払出位置で前記収容容器本体１の側壁と前記台板７ａの上端縁との間に間隙が形成される限り、前記垂下部５ａは形成されていなくともよい。
【００４０】
【発明の効果】
以上のように、本発明に係る遊戯媒体収容容器によれば、遊戯媒体を移送して外部に払い出す機構を簡単な構造で実現しながら、収容容器に収容された遊戯媒体を補給用容器に効率的に移し替えることができる。
【図面の簡単な説明】
【図１】図１は、本発明に係るコイン収容容器の全体構成を示す斜視図である。
【図２】図２は、本発明に係るコイン収容容器の要部断面図である（コイン移送部材が受容位置に位置している状態を示す）。
【図３】図３は、本発明に係るコイン収容容器の要部断面図である（コイン移送部材が払出位置に位置している状態を示す）。
【図４】図４は、コイン移送部材２の全体構成を示す斜視図である。
【図５】図５は、従来例に係るコイン収容容器の一例を示す構造図である。
【図６】図６は、従来例に係るコイン収容容器の別の一例を示す構造図である。
【符号の説明】
１…収容容器本体、２…コイン移送部材（遊戯媒体移送部材）、３…コイン排出口（排出口）、４…ホッパー、５…邪魔板、６…コイン受容口（遊戯媒体受容口）、７…背面板（遊戯媒体移送部材の側面）、８…開口、９…案内筒、９ａ…正面板（案内筒の側面）、１０…コイン払出口、１１…開口、１２…ジョッキ（補給用容器）、Ｃ…コイン（遊戯媒体）
【図１】
2004313586.tif 000003
【図２】
2004313586.tif 000004
【図３】
2004313586.tif 000005
【図４】
2004313586.tif 000006
【図５】
2004313586.tif 000007
【図６】
2004313586.tif 000008